(57)【要約】【課題】冷蔵庫に保存する食品のマイナスイオンによる鮮度保持を行うにおいて、マイナスイオン発生器を連続で運転しなくても効果が得られるようにする。【解決手段】制御装置４により、扉開閉検出装置３が冷蔵庫扉２の開いたことを検出した時にマイナスイオン発生器１をオンさせる制御を行うことで、雑菌が外気と共に入り込みやすい期間だけマイナスイオン発生器を作動させて雑菌を死滅させる。これにより、庫内食品の鮮度保持効果を保持しつつ、常時継続的にマイナスイオン発生器を作動させておくよりも電気代を節約し、またマイナスイオン発生器の実質寿命を延ばす。【選択図】      図２
2004333101.tif 000002
【特許請求の範囲】
【請求項１】
冷蔵庫の庫内に設置されたマイナスイオン発生器と、前記冷蔵庫の扉開閉検出装置と、前記マイナスイオン発生器をオン／オフ制御する制御装置とを備え、
前記制御装置は、前記扉開閉検出装置により前記冷蔵庫の扉が開いたことを検出した時に前記マイナスイオン発生器をオンさせることを特徴とする冷蔵庫。
【請求項２】
冷蔵庫の庫内に設置されたマイナスイオン発生器と、前記冷蔵庫の扉が開かれた時にファンを回転させて冷気を庫内の食品と外気との間に流して庫内の食品が外気に直接触れるのを遮断するエアカーテン装置と、前記マイナスイオン発生器をオン／オフ制御する制御装置とを備え、
前記制御装置は、前記エアカーテン装置の作動と連動して前記マイナスイオン発生器を作動させることを特徴とする冷蔵庫。
【請求項３】
前記制御装置は、前記扉開閉検出装置により前記冷蔵庫の扉が閉じられたことを検出した後、一定時間前記マイナスイオン発生器を継続して作動させることを特徴とする請求項１記載の冷蔵庫。
【請求項４】
前記制御装置は、前記扉開閉検出装置により前記冷蔵庫の扉が開かれたことを検出した時には前記マイナスイオン発生器をオンさせ、当該扉の開状態が一定時間以上継続した時には前記マイナスイオン発生器をオフさせることを特徴とする請求項１記載の冷蔵庫。
【請求項５】
前記制御装置は、前記扉開閉検出装置により前記冷蔵庫の扉が開かれたことを検出した時には前記マイナスイオン発生器をその後の当該扉の開閉状態に関わりなく一定時間継続してオンさせることを特徴とする請求項１記載の冷蔵庫。
【請求項６】
冷蔵庫の庫内に設置された複数のマイナスイオン発生器と、前記複数のマイナスイオン発生器をオン／オフ制御する制御装置とを備え、
前記制御装置は、前記複数のマイナスイオン発生器の運転モードをそれぞれ異なる運転モードに制御することを特徴とする冷蔵庫。
【請求項７】
扉開閉検出装置により前記冷蔵庫の扉が開いたことを検出した時に、前記複数のマイナスイオン発生器のうち少なくとも１つのマイナスイオン発生器をオンさせることを特徴とする請求項６記載の冷蔵庫。
【発明の詳細な説明】
【０００１】
【発明の属する技術分野】
本発明は、マイナスイオン発生装置を備えた冷蔵庫に関する。
【０００２】
【従来の技術】
従来、庫内にマイナスイオン発生器を備えた冷蔵庫では、一定時間連続作動させたのではマイナスイオン発生器の寿命がすぐに到来するため、一定時間間隔でオン／オフ制御することによってマイナスイオン発生器の寿命を確保するようにしている。
【０００３】
【特許文献１】
特開２００３−４２６４５号公報
【０００４】
【特許文献２】
特開２００３−１２１０５０号公報
【０００５】
【発明が解決しようとする課題】
ところが、このような従来の冷蔵庫用マイナスイオン発生器制御技術では、例えば人が就寝している夜間でも一定時間間隔でマイナスイオン発生器が作動するが、その時間帯では冷蔵庫扉が開かれることはほとんどなく、したがって雑菌の庫内への侵入の機会もきわめて少ないにもかかわらずマイナスイオン発生器を作動させており、マイナスイオン発生器の作動によって無駄に電力消費する問題点があり、またマイナスイオン発生器の寿命がすぐに到来してしまう問題点があった。
【０００６】
本発明はこのような従来の技術的課題に鑑みてなされたもので、冷蔵庫に保存する食品のマイナスイオンによる鮮度保持を行うにおいて、マイナスイオン発生器を連続で運転しなくても効果が得られ、連続運転に比べて電気代を抑えることができ、またマイナスイオン発生器の寿命を延ばすことができる冷蔵庫を提供することを目的とする。
【０００７】
【課題を解決するための手段】
請求項１の発明の冷蔵庫は、冷蔵庫の庫内に設置されたマイナスイオン発生器と、前記冷蔵庫の扉開閉検出装置と、前記マイナスイオン発生器をオン／オフ制御する制御装置とを備え、前記制御装置は、前記扉開閉検出装置により前記冷蔵庫の扉が開いたことを検出した時に前記マイナスイオン発生器をオンさせることを特徴とするものである。
【０００８】
請求項１の発明の冷蔵庫では、扉開閉検出装置が冷蔵庫扉が開いたことを検出した時にマイナスイオン発生器をオンさせる制御を行うことで、雑菌が外気と共に入り込みやすい期間だけマイナスイオン発生器を作動させて雑菌を死滅させる。これにより、庫内食品の鮮度保持効果を保持しつつ、常時継続的にマイナスイオン発生器を作動させておくよりも電気代を抑え、またマイナスイオン発生器の実質寿命を延ばす。
【０００９】
請求項２の発明の冷蔵庫は、冷蔵庫の庫内に設置されたマイナスイオン発生器と、前記冷蔵庫の扉が開かれた時にファンを回転させて冷気を庫内の食品と外気との間に流して庫内の食品が外気に直接触れるのを遮断するエアカーテン装置と、前記マイナスイオン発生器をオン／オフ制御する制御装置とを備え、前記制御装置は、前記エアカーテン装置の作動と連動して前記マイナスイオン発生器を作動させることを特徴とするものである。
【００１０】
請求項２の発明の冷蔵庫では、冷蔵庫扉が開かれ、エアカーテン装置が作動している間、これに連動してマイナスイオン発生器を作動させることで、雑菌が外気と共に入り込みやすい期間だけエアカーテンによって外気の入り込みによる庫内温度の上昇を抑えると共にマイナスイオン発生器を作動させて雑菌を死滅させる。これにより、庫内食品の鮮度保持効果を高めつつ、常時継続的にマイナスイオン発生器を作動させておくよりも電気代を抑え、またマイナスイオン発生器の実質寿命を延ばす。
【００１１】
請求項３の発明は、請求項１の冷蔵庫において、前記制御装置は、前記扉開閉検出装置により前記冷蔵庫の扉が閉じられたことを検出した後、一定時間前記マイナスイオン発生器を継続して作動させることを特徴とするものであり、冷蔵庫扉が閉じられた後も一定時間継続してマイナスイオン発生器を作動させることで、扉開放時に庫内に入り込んだ雑菌をできる限り死滅させる。これにより、常時継続的にマイナスイオン発生器を作動させておくよりも電気代を抑え、またマイナスイオン発生器の寿命を延ばし、かつ庫内食品の鮮度保持効果を保持する。
【００１２】
請求項４の発明は、請求項１の冷蔵庫において、前記制御装置は、前記扉開閉検出装置により前記冷蔵庫の扉が開かれたことを検出した時には前記マイナスイオン発生器をオンさせ、当該扉の開状態が一定時間以上継続した時には前記マイナスイオン発生器をオフさせることを特徴とするものであり、通常の使用では扉開放時間は数１０秒間と短いものであり、それを超える長時間の扉開放時には異常な使用状態と見なしてマイナスイオン発生器を無制限に長時間連続作動させる無駄をなくし、電力消費を抑制すると共に、マイナスイオン発生器の寿命を延ばす。
【００１３】
請求項５の発明は、請求項１の冷蔵庫において、前記制御装置は、前記扉開閉検出装置により前記冷蔵庫の扉が開かれたことを検出した時には前記マイナスイオン発生器をその後の当該扉の開閉状態に関わりなく一定時間継続してオンさせることを特徴とするものであり、マイナスイオン発生器の制御を単純化し、かつ、常時継続的にマイナスイオン発生器を作動させておくよりも電気代を抑え、かつマイナスイオン発生器の実質寿命を延ばす。
【００１４】
請求項６の発明は、複数のマイナスイオン発生器を配置することを特徴とするものであり、冷蔵空間に隅々までマイナスイオンを行き渡らせることが可能となり、冷蔵空間全体の雑菌を死滅させることができ、これにより、庫内食品の鮮度保持効果を大幅に上げることできる。さらに、複数のマイナスイオン発生器をそれぞれ異なる運転モードで運転制御することを特徴とするものであり、必要なときに必要な場所に必要なマイナスイオンを発生させることができより電気代を抑え、マイナスイオン発生器の実質寿命を延ばす。
【００１５】
請求項７の発明は、請求項６において、少なくとも１つのマイナスイオン発生器を、扉開閉検出装置が冷蔵庫扉が開いたことを検出した時にオンさせる制御を行うことで、雑菌が外気と共に入り込みやすい期間だけマイナスイオン発生器を作動させて雑菌を死滅させる。これにより、庫内食品の鮮度保持効果を保持しつつ、常時継続的にマイナスイオン発生器を作動させておくよりも電気代を抑え、またマイナスイオン発生器の実質寿命を延ばす。
【００１６】
【発明の実施の形態】
以下、本発明の実施の形態を図に基づいて詳説する。図１及び図２は本発明の１つの実施の形態の冷蔵庫１０を示している。この冷蔵庫１０の冷蔵室には、マイナスイオン発生器１、冷蔵室扉２、冷蔵室扉スイッチ３が備えられている。そしてこの冷蔵庫１０の適所、例えば、底部や背部には冷凍、冷蔵サイクル制御を行う冷凍サイクル制御装置と共に、マイナスイオン発生器１のオン／オフを制御する制御装置４が備えられている。
【００１７】
冷蔵室扉スイッチ３は、冷蔵室扉２の開閉動作により作動して開／閉信号を制御装置４に入力する。制御装置４は、図３に示す条件によりマイナスイオン発生器１をオン／オフ制御する。
【００１８】
すなわち、扉スイッチ３の開信号を入力すると（ステップＳ１）、この開信号が継続中のものか、今入力されたものか判定する（ステップＳ３）。そして、今開したものと判定すると、一定時間（例えば、１０分間）タイマーＡをスタートさせ、マイナスイオン発生器１をオンさせる（ステップＳ５，Ｓ７）。この後、タイマーＡのタイムカウントが１０分間に到達するまでは、ステップＳ９でＹＥＳに分岐し、マイナスイオン発生器１を継続して作動させ続ける（ステップＳ１−Ｓ３−Ｓ９−Ｓ７）。
【００１９】
そして、冷蔵室扉２が開かれたままで扉開信号が１０間継続すれば、ステップＳ９でＮＯに分岐し、マイナスイオン発生器１を停止させる（ステップＳ１−Ｓ３−Ｓ９−Ｓ１７）。
【００２０】
一方、扉スイッチ３の閉信号（開信号が無くなる）が入力されると、制御装置４はステップＳ１でＮＯに分岐し、閉信号が継続中のものか、今閉じたものか判定する（ステップＳ１１）。この判定で、今閉じたものと判定されると、別の一定時間（例えば、１０分間）タイマーＢをスタートさせる。これ以後も扉２が閉じられた状態が継続すると、マイナスイオン発生器１を１０分間だけ作動させ続ける（ステップＳ１−Ｓ１１−Ｓ１５−Ｓ７）。そして扉２を閉じた後タイマーＢが１０分間経過でタイムアップすると、マイナスイオン発生器１を停止させる（ステップＳ１−Ｓ１１−Ｓ１５−Ｓ１７）。
【００２１】
こうして、第１の実施の形態の冷蔵庫用マイナスイオン発生器制御装置によれば、冷蔵室扉２が開かれればマイナスイオン発生器１を作動させることで、外気と共に庫内に侵入する雑菌、カビ等をマイナスイオン発生器１にて除去することにより冷蔵室内の食品の鮮度を維持することができ、またマイナスイオン発生器１の作動は一定時間に限定することによって連続運転に比べて電気代を抑えることができ、またその実質寿命を延ばすことができる。
【００２２】
また、本実施の形態では、冷蔵室扉２が継続して１０分間以上開き続けば異常な使用とみなし、マイナスイオン発生器１を強制的に停止させることにより、無駄に長時間マイナスイオン発生器１を作動させることによる電力の消費を抑制することができる。
【００２３】
また本実施の形態の冷蔵庫によれば、いったん開かれた冷蔵室扉２が閉じられると、別のタイマーＢによって１０分間継続してマイナスイオン発生器１を作動させるので、扉開時に侵入した雑菌、カビ類が庫内に残っていても、マイナスイオン発生器１の作動によって除去することができ、食品の鮮度保持ができる。しかもマイナスイオン発生器１の作動時間は必要時だけに限られるので、連続運転に比べて電気代を抑えることができ、またその実質寿命を延ばすことができる。
【００２４】
なお、この実施の形態にあって、制御の簡素化のためには、単純に冷蔵室扉２が開いている間だけマイナスイオン発生器１を作動させ、扉２が閉じられるとマイナスイオン発生器１を停止させる制御にすることができる。
【００２５】
また、図４のフローチャートに示すように、扉２がいったん開かれるとタイマーＡを作動させてマイナスイオン発生器１を扉２のその後の開閉状態に関係なく一定時間（例えば１０分間）だけ作動させる制御にすることもできる（ステップＳ２１〜Ｓ２７）。冷蔵庫１０の扉２の開き時間は通常の使用では長くても数１０秒であり、それ以上の長い時間継続して開き続けられるのは通常の使用ではないとみなせるので、マイナスイオン発生器１による食品鮮度の保持と共に、その作動時間を限定することで無駄な電力の消費を抑制することができる。
【００２６】
なお、タイマーＡ、タイマーＢの制限時間は１０分間に限られず、冷蔵庫の特性に即して長短変更が可能である。
【００２７】
次に、本発明の第２の実施の形態の冷蔵庫用マイナスイオン発生器制御装置について、図５及び図６を用いて説明する。第２の実施の形態の特徴は、冷蔵庫１０の庫内に設置されたマイナスイオン発生器１と、冷蔵庫１０の扉２が開かれた時にファン５を回転させて冷気を庫内の食品と外気との間に流して庫内の食品が外気に直接触れるのを遮断するエアカーテン７を作るエアカーテン機能と、マイナスイオン発生器１をオン／オフ制御する制御装置４とを備え、この制御装置４により、エアカーテン用のファン５の作動と連動してマイナスイオン発生器１を作動させる。
【００２８】
これにより、第２の実施の形態では、エアカーテン機能により扉開放時の外気の流入による庫内温度の上昇を抑え、かつマイナスイオン発生器１の作動により雑菌、カビ類の侵入を抑えることができ、食品鮮度の保持が効果的に行える。加えて、マイナスイオン発生器１を連続運転する場合に比べて電気代を抑えることができる。
【００２９】
次に、本発明の第３の実施の形態の冷蔵庫用マイナスイオン発生器制御装置について、図７及び図８を用いて説明する。第３の実施の形態の特徴は、冷蔵庫３０の庫内に複数のマイナスイオン発生器３１，３２が設置されている。
【００３０】
冷蔵庫の縦断側面図を示す図７において、冷蔵庫本体３０は前面が開口する矩形箱状をなすものであり、外箱３３と内箱３４との間に発泡ウレタン等の断熱材３５を充填することに基づいて形成されている。また、内箱の内面には合成樹脂製の仕切板（冷蔵室底板）３６が固定されている。この仕切板３６は冷蔵庫本体３０内の上部に冷蔵室（貯蔵室）３７、下部に野菜室３８を形成するものであり、冷蔵室３７の前端部には冷蔵室扉３９が回動可能に装着されている。
【００３１】
冷蔵室３７の天井面４２と内箱３４との間には冷気通路が形成され、冷蔵室用冷却器４３からの冷気をファン４４により、冷蔵室背面のダクトに導入させ、それぞれの吹出口から冷蔵室３７内に循環させるとともに、天井部の冷気通路からも冷気を冷蔵室扉３９側に循環させる構成となっている。この天井部に第１のマイナスイオン発生器３１が配設されている。冷蔵室３７の最上段の循環冷気は、第１のマイナスイオン発生器３１を通過した後、冷蔵室上部空間から下部空間へ至るようになっている。
【００３２】
仕切板３６の下方には所定の間隔をおいて支持板４０が固定されている。仕切板３６の前端側は開口しており、仕切板３６と支持板４０との間に形成される冷気通路（循環通路）４１に対して冷蔵室３７側より冷気を導くようになっている。そして、冷気通路４１には、第２のマイナスイオン発生器３２が配設されている。支持板４０の後端側は野菜室３８に対し開口しており、冷蔵室３７側より冷気通路４１に導入された循環冷気は、第２のマイナスイオン発生器３２を通過した後、野菜室３８へ至るようになっている。
【００３３】
野菜室３８の前端部には野菜室扉４６が前後方向へスライド可能に装着されている。また、断熱仕切板４７の下方には冷凍室４８が形成されている。この冷凍室３８は上方の野菜室３８及び冷蔵室３７に対して熱的に隔絶されたものであり、冷凍室４８の前端部には上扉４９及び下扉５０が前後方向へスライド可能に装着されている。冷凍室への冷気循環は、冷凍室用冷却器５１及びファン５２により行われる。
【００３４】
冷蔵庫本体３０の下端部には機械室５３が形成されており、機械室５３内には冷凍サイクルのコンプレッサ５４が配設されている。このコンプレッサ５４はコンプモータ５５により駆動されるものであり、コンプモータ５５は、制御装置５６に電気的に接続されている。また、第１及び第２のマイナスイオン発生器３１，３２及びファン４４，５２は制御装置５６と電気的に接続されており、この制御装置５６により冷凍サイクルの運転制御（コンプモータの周波数制御），ファン４４，５２のオン／オフ制御，マイナスイオン発生器３１，３２のオン／オフ制御が行われる。
【００３５】
冷蔵室扉スイッチ５７は、冷蔵室扉３９の開閉動作により作動して開／閉信号を制御装置５６に入力する。
【００３６】
次に動作について説明する。冷蔵庫本体３０の冷蔵室扉３９等に設けられた操作パネル（図示せず）のマイナスイオンボタン５８を操作すると、第１，第２のマイナスイオン発生器３１，３２がそれぞれの運転モードに従って動作する。
【００３７】
第１のマイナスイオン発生器３１は、冷蔵室扉３９の開／閉信号、すなわち、扉スイッチ５７の開信号を入力すると、一定時間（例えば、１０分間）タイマーＡをスタートさせ、マイナスイオン発生器３１をオンさせる。この後、タイマーＡのタイムカウントが１０分間に到達するまでは、マイナスイオン発生器を継続して動作させ続ける。また、扉開閉動作に関係なく、タイマーＢにより一定間隔（例えば、２５分間隔に１０分間）だけ動作させることにより、マイナスイオン発生器３１による冷蔵室３７空間の食品鮮度の保持が可能になる。
【００３８】
第２のマイナスイオン発生器３２は、冷蔵室ファン４４のオン／オフ信号、すなわち、ファン４４のオン信号を入力すると、ファン４４のオン期間中、第２のマイナスイオン発生器３２をオンさせる。これにより、野菜室３８空間の食品鮮度の保持が可能になる。
【００３９】
すなわち、２つのマイナスイオン発生器３１，３２で冷蔵空間（冷蔵室３７，野菜室３８）にマイナスイオンを発生させることにより、冷蔵空間に隅々までマイナスイオンを行き渡らせることが可能となり、冷蔵空間全体の雑菌を死滅させることができ、これにより、庫内食品の鮮度保持効果を大幅に上げることが可能となる。
【００４０】
また、上述したように、第１，第２マイナスイオン発生器３１，３２をそれぞれ異なる運転モードで動作することで、必要なときに必要なマイナスイオンを発生させることが可能となる。すなわち、第１のマイナスイオン発生器３１については、冷蔵室扉３７を開けたときに動作させることで、庫外からの雑菌の侵入を防ぐことができると共に、扉を開けた人にマイナスイオン風を当てることができ、リフレッシュ効果を与えることも可能となる。
【００４１】
さらに、それぞれの運転モードを冷蔵庫の他の運転制御に連動させることで制御を単純化し、かつ、常時継続的にマイナスイオン発生器３１，３２を作動させておくよりも電気代を抑えることができ、マイナスイオン発生器３１，３２の寿命を延ばすことができる。
【００４２】
上記実施形態では、マイナスイオン発生器を冷蔵室空間に複数配置させたが、冷蔵室空間と冷凍室空間にそれぞれ配置させることによっても同様の効果が得られる。また、配置位置についても、天井面４２及び仕切板３６に限られるものでなく、例えば、背面ダクト４５内に設置するなど冷蔵庫内の配置構成に即して変更が可能である。
【００４３】
さらに、上記実施形態では、第１及び第２のマイナスイオン発生器３１，３２の運転モードを異ならせたが、同一の運転モードにすることでさらに制御を単純化することができる。また、扉の開閉動作に関係なく複数のマイナスイオン発生器を動作させてもよく、例えば、第１，第２のマイナスイオン発生器をファン４４に同期させて運転制御させても同様の効果が得られる。
【００４４】
さらに、ノンフロン（可燃性冷媒）を使用した冷蔵庫においては、冷媒もれを検知したときに、マイナスイオン発生器の運転を停止させる制御を組み込んでおけば、冷媒漏れ時の防爆制御とすることが可能になり、より安全性が高まる冷蔵庫を提供することができる。
【００４５】
なお、上記実施形態のマイナスイオン発生器を、他の脱臭装置と併用させたもの、例えば、空間放電機構によるプラズマ脱臭装置，光触媒脱臭装置とするこでで、脱臭性能を向上させることも可能である。
【００４６】
【発明の効果】
以上のように請求項１の発明によれば、扉開閉検出装置が冷蔵庫扉が開いたことを検出した時にマイナスイオン発生器をオンさせる制御を行うことで、雑菌が外気と共に入り込みやすい期間だけマイナスイオン発生器を作動させて雑菌を死滅させることができ、これにより、庫内食品の鮮度保持効果を保持しつつ、常時継続的にマイナスイオン発生器を作動させておくよりも電気代を抑えることができ、またマイナスイオン発生器の実質寿命を延ばすことができる。
【００４７】
請求項２の発明によれば、冷蔵庫扉が開かれ、エアカーテン装置が作動している間、これに連動してマイナスイオン発生器を作動させることで、雑菌が外気と共に入り込みやすい期間だけエアカーテンによって外気の入り込みによる庫内温度の上昇を抑えると共にマイナスイオン発生器を作動させて雑菌を死滅させることができ、これにより、庫内食品の鮮度保持効果を高めつつ、常時継続的にマイナスイオン発生器を作動させておくよりも電気代を抑えることができ、またマイナスイオン発生器の実質寿命を延ばすことができる。
【００４８】
請求項３の発明によれば、冷蔵庫扉が閉じられた後も一定時間継続してマイナスイオン発生器を作動させることで、扉開放時に庫内に入り込んだ雑菌をできる限り死滅させることができ、これにより、常時継続的にマイナスイオン発生器を作動させておくよりも電気代を抑えることができ、またマイナスイオン発生器の実質寿命を延ばし、かつ庫内食品の鮮度保持効果を保持することができる。
【００４９】
請求項４の発明によれば、通常の使用では扉開放時間は数１０秒間と短いものであり、それを超える長時間の扉開放時には異常な使用状態と見なしてマイナスイオン発生器を無制限に長時間連続作動させる無駄をなくし、電力消費を抑制すると共に、マイナスイオン発生器の寿命を延ばすことができる。
【００５０】
請求項５の発明によれば、冷蔵庫の扉が開かれたことを検出した時にはマイナスイオン発生器をその後の当該扉の開閉状態に関わりなく一定時間継続してオンさせることで、マイナスイオン発生器の制御を単純化し、かつ、常時継続的にマイナスイオン発生器を作動させておくよりも電気代を抑えることができ、またマイナスイオン発生器の実質寿命を延ばすことができる。
【００５１】
請求項６の発明は、複数のマイナスイオン発生器を配置することで、冷蔵空間に隅々までマイナスイオンを行き渡らせることが可能となり、冷蔵空間全体の雑菌を死滅させることができ、これにより、庫内食品の鮮度保持効果を大幅に上げることできる。また、複数のマイナスイオン発生器をそれぞれ異なる運転モードで運転制御することで、必要なときに必要な場所に必要なマイナスイオンを発生させることができより電気代を抑え、マイナスイオン発生器の実質寿命を延ばすことができる。
【００５２】
請求項７の発明は、複数のマイナスイオン発生器を備えた冷蔵庫において、少なくとも１つのマイナスイオン発生器を、扉開閉検出装置が冷蔵庫扉が開いたことを検出した時にオンさせる制御を行うことで、雑菌が外気と共に入り込みやすい期間だけマイナスイオン発生器を作動させて雑菌を死滅させる。これにより、庫内食品の鮮度保持効果を保持しつつ、常時継続的にマイナスイオン発生器を作動させておくよりも電気代を抑え、またマイナスイオン発生器の実質寿命を延ばすことができる。
【図面の簡単な説明】
【図１】本発明の第１の実施の形態の冷蔵庫の扉を開いた状態の正面図。
【図２】上記の実施の形態のマイナスイオン発生器制御装置の機能ブロック図。
【図３】上記の実施の形態のマイナスイオン発生器制御装置によるマイナスイオン発生器制御のフローチャート。
【図４】上記の実施の形態のマイナスイオン発生器制御装置による別のマイナスイオン発生器制御のフローチャート。
【図５】本発明の第２の実施の形態の冷蔵庫の扉を開いた状態の正面図。
【図６】上記の実施の形態のマイナスイオン発生器制御装置の機能ブロック図。
【図７】本発明の第３の実施の形態の冷蔵庫縦断側面図。
【図８】上記の実施の形態のマイナスイオン発生器制御装置の機能ブロック図。
【符号の説明】
１  マイナスイオン発生器
２  冷蔵室扉
３  扉スイッチ
４  制御装置
５  ファン
７  エアカーテン
１０  冷蔵庫
【図１】
2004333101.tif 000003
【図２】
2004333101.tif 000004
【図３】
2004333101.tif 000005
【図４】
2004333101.tif 000006
【図５】
2004333101.tif 000007
【図６】
2004333101.tif 000008
【図７】
2004333101.tif 000009
【図８】
2004333101.tif 000010